(57)【要約】【課題】放熱効果を最大化させ、防水効果と高温の放熱板との接触による火傷の防止を図り、異物による放熱効率を減少させる。【解決手段】可変型放熱路を備えた放熱部材を利用するＬＥＤ発光照明灯は、ＬＥＤと、前記ＬＥＤが取り付けられるＬＥＤ取付基板と、前記ＬＥＤ取付基板の底部に結着される前記可変型の放熱通路が備えられた放熱部材と、前記放熱部材の外側面に結着される上部キャップと、前記放熱部材の底部に結着され外部空気の流入が行なわれる結着リング部材と、前記結着リング部材の底部に結着される下部レンズとを含む構成でなる。【選択図】図４ａ
2010092831.tif 000002
【特許請求の範囲】
【請求項１】
内部に貫通孔が形成された円柱形のボディと、
前記ボディの円周の周りに沿って長手方向に形成された多数の放熱板とを含み、
前記放熱板は、長手方向に沿って屈曲して配列された曲線形放熱板を含み、前記円柱形のボディの長手方向（軸方向）に沿って対向する二つの放熱板の間の間隔が広くなるか狭くなり、放熱通路の大きさが変化するようにした放熱部材。
【請求項２】
前記放熱通路は放熱部材の底部で最大となり、上部に行くほど狭くなるよう形成された請求項１記載の放熱部材。
【請求項３】
ＬＥＤと、
前記ＬＥＤが取り付けられるＬＥＤ取付基板と、
前記ＬＥＤ取付基板が底部に結着され、外周面へ長手方向に放熱通路が形成された放熱部材と、
前記放熱部材の放熱板の外側面に結着され、前記放熱通路と連通する貫通孔が上側面に形成された上部キャップと、
前記放熱部材の底部に結着され、前記放熱通路と連通する貫通孔が形成され外部空気の流入が行なわれる結着リング部材と、
前記結着リング部材の底部に結着される下部レンズとを含むＬＥＤ発光照明灯。
【請求項４】
前記放熱部材は、請求項１記載の放熱部材であることを特徴とする請求項３記載のＬＥＤ発光照明灯。
【請求項５】
前記放熱部材の上部結着部と下部結着部に、密封性を良好にするためのオーリングが挿着された請求項３記載のＬＥＤ発光照明灯。
【請求項６】
ＬＥＤと、
前記ＬＥＤが取り付けられるＬＥＤ取付基板と、
前記ＬＥＤ取付基板が底部に結着され、外周面へ長手方向に放熱通路が形成された放熱部材と、
前記放熱部材の放熱板の外側面に結着される上部キャップと、
前記上部キャップの底部に結着される下部レンズとを含むＬＥＤ発光照明灯。
【請求項７】
前記上部キャップはその底部の周りに貫通孔が形成され、前記貫通孔は前記放熱路を経て上部キャップの上側に形成された貫通孔と連通する請求項６記載のＬＥＤ発光照明灯。
【請求項８】
前記放熱部材は、請求項１記載の放熱部材であることを特徴とする請求項６記載のＬＥＤ発光照明灯。
【請求項９】
円筒形のボディの円周の周りに沿って縁部の内側に放熱通路が一定の間隔に形成され、
前記放熱通路は円筒形のボディの長手方向に沿って放熱通路の大きさが変化する円筒形放熱通路を含む放熱部材。
【請求項１０】
前記円筒形放熱通路は、長手方向に沿って中央に行くほど空間が狭くなってベルヌイ原理が適用される形に構成された請求項９記載の放熱部材。
【請求項１１】
前記放熱通路は、前記円筒形放熱通路の隣接部に交互に配列される直線形放熱通路をさらに含む請求項９記載の放熱部材。
【請求項１２】
前記放熱部材の中央部位には下部へ一定の長さがさらに延長して出た突出部が形成され、その外側面上に前記結着リング部材が安着されるように構成された請求項９記載の放熱部材。
【請求項１３】
ＬＥＤと、
前記ＬＥＤが取り付けられるＬＥＤ取付基板と、
前記ＬＥＤ取付基板が底部に結着され、円筒形のボディの円周の周りに沿って縁部の内側に放熱通路が一定の間隔に形成され、前記放熱通路は円筒形のボディの長手方向に沿って放熱通路の大きさが変化する円筒形放熱通路を含む放熱部材と、
前記放熱部材の上側に結着される上部キャップと、
前記放熱部材の底部に結着され外部空気の流入が行なわれる結着リング部材と、
前記結着リング部材の底部に結着される下部レンズとを含むＬＥＤ発光照明灯。
【請求項１４】
前記放熱部材の上部結着部と下部結着部に密封性を良好にするためのオーリングが挿着される請求項１３記載のＬＥＤ発光照明灯。
【発明の詳細な説明】
【技術分野】
【０００１】
本発明は、可変型の放熱通路が備えられた放熱部材及びこれを利用したＬＥＤ発光照明灯に関し、より詳しくは放熱部材に形成される放熱通路の大きさが変化するようにして空気接触面積を広げると共に、空気の疎通を速やかにして放熱効果を最大化させ、オーリングの使用による防水効果と高温の放熱板との接触による火傷防止を図り、放熱板の羽を外部に露出させないことにより、異物による放熱効率が減少しないようにした可変型の放熱通路が備えられた放熱部材、及びこれを利用したＬＥＤ発光照明灯に関する。
【背景技術】
【０００２】
一般に、自動車のヘッドランプやリアコンビネーションランプ及び街灯を含む各種の照明灯は、バルブ(Bulb)を光源に用いている。しかし、従来のバルブは使用寿命が短く耐衝撃性が劣るので、最近には使用寿命が大きく延長されながらも耐衝撃性に優れた高光度のＬＥＤを光源に用いる傾向である。特に、前記高光度のＬＥＤは、前記で説明したように、車のヘッドランプやリアコンビネーションランプ及び室内灯と街灯を含む各種の照明灯の光源に用いることができるものであって、その適用範囲が広い。前記高光度のＬＥＤは、点灯時に非常に高い熱が発生するので、これによりＬＥＤの適用及び設計時に多くの困難が伴うことになる。
【０００３】
図１ａ〜図１ｃは、従来の技術に係るＬＥＤ発光照明灯の一例を示した図であり、図２ａ及び図２ｂは、従来の技術に係るＬＥＤ発光照明灯の他の例を示した図である。前記各図に示された放熱板は、多数の放熱板が一定の間隔に並んで形成された例を示したものであって、図１ａ〜図１ｃの放熱板１１、２１は屈曲した形状の例を示しており、図２ａ〜図２ｂの放熱板３１は直線形に形成されているものをそれぞれ示している。前記に例示された従来のＬＥＤ発光照明灯１０、３０の場合、放熱板１１、２１、３１が形成された照明灯本体の前方にレンズ部１３、３３が結着された構造をなしている。前記例示された従来の放熱板１１、２１、３１は羽形の放熱板であって、外部空気と接触する羽を一定間隔に形成したものであり、これは外部空気と接触する放熱板１１、２１、３１の表面積を最大限に広げて放熱時の放熱効果を最大化するためである。
【０００４】
しかし、前記従来のＬＥＤ発光照明灯１０は、放熱板１１、２１、３１が全て外部に露出している形態であり、外部に露出した放熱板１１、２１、３１は室内でも長期間露出すると、外部の塵により放熱板１１、２１、３１と放熱板１１、２１、３１の羽との間で異物が積もることになり、積もった異物は放熱板１１、２１、３１の放熱効率を低下させる。これは前記放熱板１１、２１、３１が屋外に設置される場合にも同様であり、熱に脆弱なＬＥＤ照明灯の寿命や照度に大きい影響を及ぼすことになり、半永久的寿命を有するＬＥＤの特性を低下させる主な原因となる。それだけでなく、前述した従来の技術は全て放熱板を外部に露出させる共通点があるが、放熱板が外部に露出した状態ではＬＥＤ照明をデザインするのに限界があり、効果的な防水が難しいとの問題点もある。
【発明の概要】
【発明が解決しようとする課題】
【０００５】
本発明は、前記のような従来の問題点を解決するためのもので、放熱効果に優れ、防水及び防塵機能を有する可変型の放熱通路が備えられた放熱部材、及びこれを利用したＬＥＤ発光照明灯を提供することに目的がある。
【課題を解決するための手段】
【０００６】
本発明に係る可変型の放熱通路が備えられた放熱部材は、内部に貫通孔１１７が形成された円柱形のボディ１１１と、前記ボディ１１１の円周の周りに沿って長手方向に形成された多数の放熱板を含み、前記放熱板は長手方向に沿って屈曲するように配列された曲線形放熱板１１３を含み、前記曲線形放熱板１１３は前記円柱形のボディ１１１の長手方向（軸方向）に沿って対向する二つの放熱板の間の間隔が広くなるか、狭くなって放熱通路の大きさが変化するように構成されることを特徴とする。
【０００７】
前記放熱通路は放熱部材の底部で最大となり、上部へ行くほど狭まるように形成させるのが好ましい。
【０００８】
本発明に係る可変型の放熱通路が備えられた放熱部材を利用したＬＥＤ発光照明灯は、ＬＥＤ１３０と、前記ＬＥＤ１３０が取り付けられるＬＥＤ取付基板１２０と、前記ＬＥＤ取付基板１２０が底部に結着され、外周面に長手方向に放熱通路が形成された放熱部材１１０と、前記放熱部材１１０の放熱板の外側面に結着され、前記放熱通路と連通される貫通孔が形成された上部キャップ１８０と、前記放熱部材１１０の底部に結着され、円周の周りに前記放熱通路と連通される貫通孔１４１が形成された結着リング部材１４０、及び前記結着リング部材１４０の底部に結着される下部レンズ１６０を含む構成でなることを特徴とする。
【０００９】
前記放熱部材１１０の上部結着部と下部結着部との間にオーリングを取り付け、密封性を良好にするのが好ましい。
【００１０】
前記結着リング部材１４０は、円周の周りに貫通孔が形成され、前記貫通孔を介して流入される外部空気が前記放熱部材１１０の放熱板の隙間の空間へ流れるように形成させる。
【００１１】
さらに、本発明に係る可変型の放熱路が備えられた放熱部材を利用したＬＥＤ発光照明灯は、ＬＥＤ１３０と、前記ＬＥＤ１３０が取り付けられるＬＥＤ取付基板１２０と、前記ＬＥＤ取付基板１２０が底部に結着される前記可変型の放熱通路が備えられた放熱部材１１０と、前記放熱部材１１０の放熱板の外側面に結着される上部キャップ１８０と、前記キャップ１８０の底部に結着される下部レンズ１６０とを含む構成でなることを特徴とする。
【００１２】
本発明に係る前記上部キャップ１８０は、その底部の周りに底部貫通孔１８５が形成され、前記貫通孔１８５は内側放熱路を経て上部キャップ１８０の上側に形成された貫通孔１８１と連通されるように構成される。
【００１３】
前記の上部キャップの底部の周りに形成される貫通孔は、傾斜して形成されるようにするのが好ましい。
【００１４】
さらに、本発明に係る可変型の放熱路が備えられた放熱部材は、円筒形のボディの円周の周りに沿って縁部の内側に放熱通路が一定の間隔に形成され、前記放熱通路は円筒形のボディの軸方向に沿って一直線形に配列された直線形放熱通路３１４と、円筒形のボディの長手方向に放熱通路の大きさが変化する円筒形放熱通路３１３とでなることを特徴とする。
【００１５】
前記の円筒形放熱通路３１３は、長手方向に沿って中央へ行くほど空間が狭くなってベルヌイ原理が適用される形に形成されるようにする。
【００１６】
さらに、本発明に係る可変型の放熱路が備えられる放熱部材を利用したＬＥＤ発光照明灯は、ＬＥＤ３３０と、前記ＬＥＤ３３０が取り付けられるＬＥＤ取付基板３２０と、前記ＬＥＤ取付基板３２０が底部に結着され、円筒形のボディ３１１の円周の周りに沿って縁部の内側に放熱通路が一定の間隔に形成され、前記放熱通路は円筒形のボディ３１１の長手方向に沿って放熱通路の大きさが変化する円筒形放熱通路３１３を含む放熱部材３１０と、前記放熱部材３１０の上側に結着される上部キャップ３８０と、前記放熱部材３１０の底部に結着され外部空気の流入が行なわれる結着リング部材３４０と、前記結着リング部材３４０の底部に結着される下部レンズ３６０とを含む構成でなることを特徴とする。
【発明の効果】
【００１７】
本発明に係る、可変型の放熱通路が備えられた放熱部材を利用したＬＥＤ発光照明灯によれば、放熱板が外部に露出しないように上部キャップにより被せられることにより防塵、防水の目的を達成することができ、高温の放熱板との直接的な接触により火傷を負う危険がなくなる。さらに、放熱板の配列により形成される放熱通路が長さに従って変化するようにし、ベルヌイの原理が適用される屈曲した形に形成することにより、放熱板の表面積を広げると共に空気の流速を増大させることにより、放熱効果を向上させることができる効果を奏する。併せて、放熱板が外部に露出されないのでデザインの自由度が高くなり、放熱部材の上下側の結着部上にオーリングを用いることにより、さらに効果的な防水機能を奏する。
【図面の簡単な説明】
【００１８】
【図１ａ】従来の技術に係るＬＥＤ光照明灯の一例を示す図である。
【図１ｂ】従来の技術に係るＬＥＤ光照明灯の一例を示す図である。
【図１ｃ】従来の技術に係るＬＥＤ光照明灯の一例を示す図である。
【図２ａ】従来の技術に係るＬＥＤ発光照明灯の他の実施例を示す断面図である。
【図２ｂ】従来の技術に係るＬＥＤ発光照明灯の他の実施例を示す断面図である。
【図３ａ】本発明の第１実施形態に係る可変型放熱路を備えた放熱部材を利用したＬＥＤ発光照明灯を示す図である。
【図３ｂ】本発明の第１実施形態に係る可変型放熱路を備えた放熱部材を利用したＬＥＤ発光照明灯を示す図である。
【図３ｃ】本発明の第１実施形態に係る可変型放熱路を備えた放熱部材を利用したＬＥＤ発光照明灯を示す図である。
【図４ａ】本発明の第１実施形態に係るＬＥＤ発光照明灯の放熱部材の構造を示す図である。
【図４ｂ】本発明の第１実施形態に係るＬＥＤ発光照明灯の放熱部材の構造を示す図である。
【図４ｃ】本発明の第１実施形態に係るＬＥＤ発光照明灯の放熱部材の構造を示す図である。
【図４ｄ】本発明の第１実施形態に係るＬＥＤ発光照明灯の放熱部材の構造を示す図である。
【図５】本発明の第２実施形態に係る可変型放熱路を備えた放熱部材を利用したＬＥＤ発光照明灯の構造を示す断面図である。
【図６ａ】本発明の第３実施形態に係る可変型放熱路を備えた放熱部材を利用したＬＥＤ発光照明灯を示す図である。
【図６ｂ】本発明の第３実施形態に係る可変型放熱路を備えた放熱部材を利用したＬＥＤ発光照明灯を示す図である。
【図６ｃ】本発明の第３実施形態に係る可変型放熱路を備えた放熱部材を利用したＬＥＤ発光照明灯を示す図である。
【図７ａ】本発明の第３実施形態に係るＬＥＤ発光照明灯の放熱部材の構造を示す図である。
【図７ｂ】本発明の第３実施形態に係るＬＥＤ発光照明灯の放熱部材の構造を示す図である。
【図７ｃ】本発明の第３実施形態に係るＬＥＤ発光照明灯の放熱部材の構造を示す図である。
【図７ｄ】本発明の第３実施形態に係るＬＥＤ発光照明灯の放熱部材の構造を示す図である。
【発明を実施するための形態】
【００１９】
以下、本発明に係るＬＥＤ発光照明灯に対して詳しく説明する。
【００２０】
図３ａ〜図３ｃは、本発明の第１実施形態に係るＬＥＤ発光照明灯を示した図であり、図３ａはＬＥＤ発光照明灯の斜視図であり、図３ｂは前記図３ａに示したＬＥＤ発光照明灯の分解斜視図であり、図３ｃは前記図３ａのＡ−Ａ線に沿う断面図である。
【００２１】
図示されているように、本発明の第１実施形態に係るＬＥＤ発光照明灯１００は、複数個のＬＥＤ１３０と、前記複数個のＬＥＤ１３０が取り付けられるＬＥＤ取付基板１２０と、前記ＬＥＤ取付基板１２０が底部に結着、固定されて外側面の周りに放熱板１１３、１１４が形成された放熱部材１１０と、前記放熱部材１１０の外側面に結着（装着）される上部キャップ１８０と、前記放熱部材１１０の底部に結着され（取り付けられて）外部空気の流入が行なわれる結着リング部材１４０と、前記結着リング部材１４０の底部に結着される下部レンズ１６０とを含む構成からなる。
【００２２】
前記構成において、放熱部材１１０の上部結着部と下部結着部に密封性を良好にするためのオーリング１５０、１７０が挿着されるようにする。例えば、放熱部材１１０と上部キャップ１８０との結着部との間にオーリング１７０が挿入され、放熱部材１１０と下部レンズ１６０との結着部の間にもオーリング１５０が挿着されるようにする。前記のような構成を有する本発明のＬＥＤ発光照明灯１００の放熱構造において、本発明の放熱部材１１０はその外側面の周りに沿って多数の放熱板１１３、１１４が形成されている。
【００２３】
図４ａ〜図４ｄは、本発明の第１実施形態に係るＬＥＤ発光照明灯１００において、可変型の放熱路を備えた放熱部材１１０の構造を示した図であり、図４ａは放熱部材１１０の斜視図であり、図４ｂは前記図４ａのＢ−Ｂ線に沿う断面図であり、図４ｃは前記図４ａに示した放熱部材１１０の正面図であり、図４ｄは図４ａに示した放熱部材１１０の平面図である。
【００２４】
前記図を共に参照すれば、本発明の前記可変型放熱路が備えられた放熱部材１１０は、内部に貫通孔１１７が形成された円柱形のボディ１１１と、前記ボディ１１１の円周の周りに沿ってその長手方向に多数個形成された放熱板１１３、１１４とでなり、前記放熱部材のボディ１１１の底部には第１空間部１１５が形成され、上部には第２空間部１１９が形成される。このとき、前記第２空間部１１９は底部の前記第１空間部１１５よりさらに大きい大きさに形成するのが好ましい。前記ボディ１１１の底部の第１空間部１１５にはＬＥＤ基板１２０が挿着される。
【００２５】
本実施形態の前記放熱板１１３、１１４は、放熱部材のボディ１１１の外側面円周の周りに沿って一定の間隔に形成されており、長手方向に沿って上部に一定の高さで突出した直線形放熱板１１４と屈曲した曲線形放熱板１１３とで構成される。
【００２６】
特に、曲線形放熱板１１３は、図４ａ及び図４ｄに示されているように、放熱部材のボディ１１１の長手方向（軸方向）に沿って屈曲した曲線形をなすが、対向する二つの曲線形放熱板１１３の間の間隔が曲線形放熱板１１３の屈曲程度に応じて変わることになる。例えば、前記例示された曲線形放熱板１１３の場合、放熱部材１１０の底部１１３ａで曲線形放熱板１１３の間の間隔が最大となり、放熱部材１１０の上部１１３ｂでは間隔が最小となる。この場合、前記曲線形放熱板１１３に沿って流れる空気の流れは、間隔の広い底部１１３ａでは速度が遅いが、上部１１３ｂに行くほど間隔が狭くなるので、空気の流れの速度はますます速くなる。
【００２７】
本発明の前記例示された放熱板１１３、１１４は、曲線形放熱板１１３と直線形放熱板１１４が混合されている場合であって、放熱部材１１０の外側面の円周の周りに沿って回りながら、前記二つの放熱板１１３、１１４が二つを単位にして繰り返し形成された構造でなっている。例えば、二つの対向する曲線形放熱板１１３が形成された後、二つの直線形放熱板１１４が隣接して形成され、以後さらに二つの曲線形放熱板１１３と二つの直線形放熱板１１４が放熱部材１１０の円周の周りに沿って交互に繰り返し配列される形に形成される。
【００２８】
一方、本発明の前記放熱部材１１０は、前記例示された実施形態のように、直線形放熱板１１４と曲線形放熱板１１３が共に形成されることがあるが、前記実施形態の場合と異なり、放熱部材１１０の外側に直線形放熱板１１４または曲線形放熱板１１３が単独に形成されることもある。
【００２９】
本発明の前記曲線形放熱板１１３の形成で、その内側に形成される空間は恰もベンチュリ管の形状のようになり、放熱部材１１０の長手方向に沿って広い空間と狭い空間が形成され、放熱路の大きさが長手方向に沿って変化することになる。
【００３０】
従って、曲線形放熱板１１３のベンチュリ管のような部位を流体が通過する場合に流体の速度を速やかにすることができるので、放熱を加速させることができるようになる。これと共に、本発明の曲線形放熱板１１３を形成することにより、放熱板全体の表面積が増加して曲線形放熱板１１３に対する空気の接触面積が増大して放熱効果を高めることができるようになる。
【００３１】
さらに、本発明に係る放熱部材１１０の外周上に上部キャップ１８０が取り付けられ、放熱部材１１０から出る熱い熱が上部キャップ１８０により遮断されるので、放熱部材１１０との接触により火傷を負うことになるのを防止することができる。
【００３２】
併せて、前記上部キャップ１８０は放熱部材１１０との結着時に力を加えた強引な嵌合により結合されて露出した放熱板１１３、１１４の上段部を覆い、その内部を密閉させることにより放熱路を形成することになり、この放熱路は空気が流れる内部通路となる。
【００３３】
さらに、前記上部キャップ１８０の取付けで放熱部材１１０が外部に露出されないので、塵のような外部の異物が放熱板１１３、１１４に付着するのを防ぐことができ、これにより付着する異物による進行性放熱効率の減少を低減させることができるようになる。
【００３４】
なお、前記上部キャップ１８０は内部放熱板１１３、１１４の外側に位置して高温の内部放熱板１１３、１１４から伝達される熱を外部へ放出させるので、放熱板としての役割も共に果たす。従って、本発明は二つの放熱板が用いられるものと見ても差支えない。
【００３５】
さらに、前記上部キャップ１８０はその上側に多数の貫通孔１８１が形成されており、内側には放熱部材１１０と結着される結着突起部１８３が形成される。前記貫通孔１８１は、放熱路と連通されて流入した外部の空気が抜け出るようにする通路となる。
【００３６】
併せて、放熱部材１１０の上側と下側の結合部上にオーリング１５０、１７０が二重に挿着され放熱部材１１０へ流入する水を遮断させることにより、防水効果を期待することができる。すなわち、前記オーリング１５０、１７０の挿着は、照明灯の回路部分と放熱部分を分離させることになる。
【００３７】
さらに、本発明の前記上部キャップ１８０と下部レンズ１６０との間に取り付けられる結着リング部材１４０は、その周りに多数の貫通孔１４１が形成されており、この貫通孔１４１を介して外部の空気が流入される。前記結着リング部材１４０は本発明の放熱部材１１０の外側に結着され、その周りに沿って形成された貫通孔１４１を介して外部の空気が流入される場合、放熱板１１３、１１４と放熱板１１３、１１４との間に形成された空間に沿って流れるように連結され、最終的に上部キャップ１８０の上側に形成された貫通孔１８１を介し外部へ抜け出るようにする。
【００３８】
したがって、本発明のＬＥＤ照明灯１００が組み立てられた状態でも外部空気の流入が行なわれ、流入された外部の空気は放熱板１１３、１１４の隙間の空間を通って速やかに流れ、放熱が速やかになされるようになる。
【００３９】
一方、図５は本発明の第２実施形態に係る可変型放熱路が備えられた放熱部材を利用したＬＥＤ発光照明灯の構造を示した組立断面図である。
【００４０】
前記例示された本発明のＬＥＤ発光照明灯１００’は、前記で説明した本発明の第１実施形態に係るＬＥＤ発光照明灯の構造において、結着リング部材１４０を削除した場合であって、上部キャップ１８０の下段部の長さをさらに延長してその周りに貫通孔１８５を形成し、前記削除された結着リング部材１４０の役割を代わるようにした場合である。
【００４１】
このとき、前記貫通孔１８５は傾斜した溝に形成し、外部から流入された空気の放熱路側への流入が円滑になるようにする。本実施形態の場合、ＬＥＤ発光照明灯を構成する組立部品の数を減少させることができ、加工及び結着作業を容易にする効果が得られる。
【００４２】
図６ａ及び図６ｂは、本発明の第３実施形態に係る可変型放熱路が備えられた放熱部材を利用したＬＥＤ発光照明灯３００を示した図であり、図６ａはＬＥＤ発光照明灯の斜視図であり、図６ｂは前記図６ａの分離斜視図であり、図６ｃは前記図６ａのＣ−Ｃ線に沿う断面図である。
【００４３】
本発明の第３実施形態に係る可変型放熱路が備えられた放熱部材を備えたＬＥＤ発光照明灯３００は、ＬＥＤ３３０と、前記ＬＥＤ３３０が取り付けられるＬＥＤ取付基板３２０と、前記ＬＥＤ取付基板３２０が底部に結着され円周の周りに沿って内部に長手方向に放熱空間３１３が一定の間隔に形成された放熱部材３１０と、前記放熱部材３１０の上側に結着される上部キャップ３８０と、前記放熱部材３１０の底部に結着されて外部空気の流入が行なわれる結着リング部材３４０と、前記結着リング部材３４０の底部に結着される下部レンズ３６０とを含む構成からなる。
【００４４】
前記構成において、放熱部材３１０の上部と底部にオーリング３５０、３７０が挿着される。例えば、上側のオーリング３７０は放熱部材３１０の上側部と上部キャップ３８０の下部突出端３８１との結着部の間に挿着され（図６ｃのＤ部を参照）、底部のオーリング３５０は放熱部材３１０の下部突出部３１８とその内側に挿入される下部レンズ３６０の上部突出部３６１との間の結着部の間に挿着される（図６ｃのＥ部を参照）。
【００４５】
本発明の第３実施形態に係るＬＥＤ発光照明灯３００の構造において、前記可変型放熱通路が備えられた放熱部材３１０は、円周の周りに沿って縁部の内側に放熱通路３１３、３１４が形成されており、その構造を図７ａ〜図７ｄに示した。
【００４６】
図７ａは本発明の第３実施形態に係る可変型放熱路が備えられた放熱部材３１０の斜視図であり、図７ｂは前記図７ａのＦ−Ｆ線に沿う断面図であり、図７ｃは前記図７ａに示した放熱部材３１０の正面図であり、図７ｄは図７ａに示した放熱部材３１０の平面図である。
【００４７】
前記図を共に参照すれば、本実施形態に係る可変型放熱路が備えられた放熱部材３１０は、内側中心部に貫通孔３１７が形成され、円周の周りに沿って縁部の内側に一定の間隔に放熱通路３１３、３１４が形成されている。
【００４８】
前記放熱部材３１０の底部には第１空間部３１５が形成され、上部には前記第１空間部３１５より大きい第２空間部３１９が形成されており、前記第１空間部３１５の内側にはＬＥＤ取付基板３２０が挿着される。
【００４９】
さらに、放熱部材３１０の中央部位には下部へ一定の長さがさらに延長して出た突出部３１８が形成されており、前記突出部３１８の内側には前記第１空間部３１５が形成されている。
【００５０】
前記放熱部材３１０の中央の突出部３１８の外側には結着リング部材３４０が配置され、結着リング部材３４０が結着された状態で結着リング部材３４０の周りに形成された貫通孔３４１を介し流入された外部の空気が、放熱部材３１０に形成された放熱通路３１３、３１４と連結されて流れるように構成される。
【００５１】
本発明の前記放熱通路３１３、３１４は、図７ｂ及び図７ｃに示されているように、一直線形でなる直線形放熱通路３１４と、その隣接部の円筒形放熱通路３１３とで構成され、放熱部材３１０の形状に沿って円形に回りながら交互に配列された構造をなしている。
【００５２】
円筒形放熱通路３１３は、図７ｂに示されているように、放熱部材３１０の長手方向（軸方向）に沿って放熱通路が形成され、円筒形放熱通路３１３の中間部位には内部に突出端が形成され放熱通路空間が狭くなり、前記狭くなった空間を通っては再び元来の大きさの空間で形成される構造をなす。すなわち、円筒形放熱通路３１３は、その底部と上部が中央よりさらに大きい放熱通路を有する。
【００５３】
したがって、円筒形放熱通路３１３に沿って流れる空気の流れは、空間の広い底部３１３ａでは速度が遅いが、空間の狭い中間部３１３ｂでは空気の流れの速度が速やかになる。これにより、前記円筒形放熱通路３１３を通って流れる空気は、中央へ行くほど速度が速やかになり、急速放熱がなされるようになる。一方、前記直線形放熱通路３１４の場合、内部断面積の変化がないので空気の流れが均一な速度で行なわれる。
【００５４】
なお、本発明について、好ましい実施形態を基に説明したが、これらの実施形態は、例を示すことを目的として開示したものであり、当業者であれば、本発明に係わる技術思想の範囲内で、多様な改良、変更、付加等が可能である。このような改良、変更なども、特許請求の範囲に記載した本発明の技術的範囲に属することは言うまでもない。
【産業上の利用可能性】
【００５５】
以上で説明したように、本発明に係るＬＥＤ発光照明灯は、放熱部材に形成される放熱通路の大きさが変化する可変型に形成して放熱板の表面積を広げると共に、空気の疎通を速やかにして放熱効果を最大化させ、上部キャップの取付けで外部の異物の接触を防ぎ、高温の放熱板との接触による火傷を防止することができる。併せて、放熱部材に形成される放熱板と放熱通路の構成を曲線形にしてデザイン感を向上させることができ、オーリングの使用で防水効果も期待することができる。
【符号の説明】
【００５６】
１１０、３００  ＬＥＤ発光照明灯
１１０、３１０  放熱部材
１１３  曲線形放熱板
１１４  直線形放熱板
１２０、３２０  ＬＥＤ取付基板
１３０、３３０  ＬＥＤ
１４０、３４０  結着リング部材
１５０、１７０、３５０、３７０  オーリング
１６０、３６０  下部レンズ
１８０、３８０  上部キャップ
３１３  円筒形放熱通路
３１４  直線形放熱通路
【図３ａ】
2010092831.tif 000003
【図３ｂ】
2010092831.tif 000004
【図３ｃ】
2010092831.tif 000005
【図４ａ】
2010092831.tif 000006
【図４ｂ】
2010092831.tif 000007
【図４ｃ】
2010092831.tif 000008
【図４ｄ】
2010092831.tif 000009
【図５】
2010092831.tif 000010
【図６ａ】
2010092831.tif 000011
【図６ｂ】
2010092831.tif 000012
【図６ｃ】
2010092831.tif 000013
【図７ａ】
2010092831.tif 000014
【図７ｂ】
2010092831.tif 000015
【図７ｃ】
2010092831.tif 000016
【図７ｄ】
2010092831.tif 000017
【図１ａ】
2010092831.tif 000018
【図１ｂ】
2010092831.tif 000019
【図１ｃ】
2010092831.tif 000020
【図２ａ】
2010092831.tif 000021
【図２ｂ】
2010092831.tif 000022